(57)【要約】【課題】術者等が嘴管に直接手などを触れることなくスプレー本体に嘴管を交換することができる医用スプレー装置を提供すること。【解決手段】スプレー本体１０の嘴管連結部１５に取り付けた嘴管１８から薬液びん１１の薬液を圧搾空気で噴霧するようにした医用スプレー装置において、嘴管１８は、薬液管１９と、この薬液管１９の外周の空気管４８と、この空気管４８の外周に嵌合し、外側面に係止溝５０を形成した外管４９とを具備し、前記嘴管連結部１５の端部に、嘴管１８に直接手を触れることなく嘴管１８を交換するための着脱具３８を取り付ける。【選択図】図１
2011104187.tif 000002
【特許請求の範囲】
【請求項１】
スプレー本体の嘴管連結部に取り付けた嘴管から薬液びんの薬液を圧搾空気で噴霧するようにした医用スプレー装置において、前記嘴管は、薬液管と、この薬液管の外周を被覆する空気管と、この空気管の外周に嵌合し、外側面に係止溝を形成した外管とを具備し、前記嘴管連結部の端部に嘴管を連結するための着脱具を取り付け、この嘴管は、ハウジングと、このハウジングに設けられ前記外管を着脱自在に嵌め込むための貫通孔と、この貫通孔に前記外管を圧入すると前記係止溝に係止する係止リングと、この係止リングの係止状態を解除するための押釦とを具備したことを特徴とする医用スプレー装置。
【請求項２】
空気管と外管との間に、前記外管の係止溝に係止リングが係止したとき薬液管と空気管を嘴管連結部側に付勢するコイルばねを介在したことを特徴とする請求項１記載の医用スプレー装置。
【請求項３】
着脱具における略直方体のハウジングの略中央に貫通孔を貫通して設け、外管の全外周に係止溝を形成し、前記ハウジングの切り溝から２個のＵ字形の係止リングを互いに相対する方向から嵌め込み、これらの係止リングをそれぞれ逆方向に付勢するばね部を有する押釦に連結し、この押釦で嘴管を着脱するようにしたことを特徴とする請求項１記載の医用スプレー装置。
【請求項４】
押釦にばね部を一体に形成し、この押釦に係止リングを係止部で連結したことを特徴とする請求項３記載の医用スプレー装置。
【請求項５】
着脱具における略円筒体のハウジングの略中央に貫通孔を貫通して設け、外管の全外周に係止溝を形成し、前記ハウジングの切り溝から１個の楕円形の係止リングを一方向から嵌め込み、この係止リングを押釦で嘴管を着脱するようにしたことを特徴とする請求項１記載の医用スプレー装置。
【請求項６】
嘴管は、薬液管の基端部に、この薬液管を貫通し、かつ、差し込み環を有し、前記薬液管を嘴管連結部の薬液チューブに連通する差し込み環を連結し、空気管の基端部に、前記差し込み環と空気管の内部を連通する空気溝を有し、外管の内孔部内のコイルばねを係止する係合部を連結したことを特徴とする請求項１、２、３、４又は５記載の医用スプレー装置。
【発明の詳細な説明】
【技術分野】
【０００１】
本発明は、薬液や消毒液などを患部に噴霧するときに使用され、主として、耳、鼻、咽喉に用いられる医用スプレー装置に関するもので、患部に接触する嘴管を直接手で触れることなく交換できるようにしたものある。
【背景技術】
【０００２】
従来、この種の医用スプレー装置は、図７及び図８に示すように、スプレー本体１０の下端に薬液びん１１を着脱自在に嵌合し、スプレー本体１０の前端に嘴管１８を着脱自在に取り付ける。グリップ兼用の薬液びん１１を片手で握り、嘴管１８の先端を耳、鼻、咽喉などに差し込み、噴霧口２０を患部に臨ませ、親指で押釦１３を押す。すると、バルブ１２が開いて、エアチューブ１４から圧搾空気が薬液びん１１と嘴管１８へ送り込まれ、薬液びん１１内の薬液１７が薬液チューブ１６を通って薬液管１９へ送られ、この薬液管１９の先端部では、嘴管１８からの空気によって薬液１７が霧状になって噴霧口２０から患部へ噴霧するものである。
【０００３】
図７及び図８に示すような嘴管１８の直線状のものは、耳、鼻などの患部に噴霧する場合に使用され、咽喉の場合には、嘴管１８がやや長く、先端部近くをくの字に折れ曲げたものが使用される。
【０００４】
従来の医用スプレー装置における嘴管１８部分は、使用後に、薬液や煮沸により消毒をするため、ステンレススチールなどの錆びつかず、生体に悪影響を与えない金属で構成されている場合が多い。また、この嘴管１８は、図８に示すように、基端部のねじ部２１で嘴管連結部１５に着脱自在に構成されている。そして、使用後は、スプレー本体１０から嘴管１８部分を外し、Ｏリング２２で密着していた薬液管１９をスプレー本体１０から抜き取り、嘴管１８の噴霧口２０内部の目詰まりを掃除し、患部に接触した嘴管１８の消毒をする。
【０００５】
このような医用スプレー装置の嘴管１８部分は、金属製であるたため、消毒、殺菌処理を施せば何回でも使用することができる。ところが、嘴管１８部分をねじ部２１でスプレー本体１０に着脱するとき、特に、使用後に直接嘴管１８に手で触れることになるので、ウイルスその他の病原菌に感染する恐れがある。
そこで、嘴管１８のカバー部分のみを使い捨てとするタイプのものが知られている（特許文献１）。
これは、図６に示すように、スプレー本体１０の嘴管連結部１５に薬液管１９を連結するとともに、この薬液管１９に、前記嘴管１８に代わるノズル霧先管２４を被せたもので、このノズル霧先管２４は、可撓性を有するプラスチックからなる使い捨てタイプとし、薬液管１９を嘴管連結部１５に連結したまま着脱自在に被せてなる医用スプレー装置である。
【０００６】
このように構成された医用スプレー装置は、患部毎にノズル霧先管２４を新たなものに取り替えて薬液や消毒液が噴霧され、使用後は、廃棄される。
【先行技術文献】
【特許文献】
【０００７】
【特許文献１】特開平１１−１５５９５３号公報。
【発明の概要】
【発明が解決しようとする課題】
【０００８】
このような使い捨てタイプの医用スプレー装置は、患者毎にノズル霧先管２４を新たなものに取り換えるので、他の患者への感染は避けられる。
しかし、ノズル霧先管２４の取り外しの際に、術者が手袋をしているとはいえノズル霧先管２４に直接触れるので、感染の恐れを完全になくすことができないだけでなく、ノズル霧先管２４の廃棄処理に手数と費用がかかるという問題があった。
【０００９】
本発明は、術者等が嘴管に直接手などを触れることなくスプレー本体に嘴管を装着することができ、使用後には、嘴管に直接手などを触れることなく嘴管を外すことができる医用スプレー装置を提供することを目的とする。
【課題を解決するための手段】
【００１０】
本発明による医用スプレー装置は、スプレー本体１０の嘴管連結部１５に取り付けた嘴管１８から薬液びん１１の薬液を圧搾空気で噴霧するようにした医用スプレー装置において、前記嘴管１８は、薬液管１９と、この薬液管１９の外周を被覆する空気管４８と、この空気管４８の外周に嵌合し、外側面に係止溝５０を形成した外管４９とを具備し、前記嘴管連結部１５の端部に嘴管１８を連結するための着脱具３８を取り付け、この嘴管１８は、ハウジング４２と、このハウジング４２に設けられ前記外管４９を着脱自在に嵌め込むための貫通孔４３と、この貫通孔４３に前記外管４９を圧入すると前記係止溝５０に係止する係止リング４６と、この係止リング４６の係止状態を解除するための押釦４４とを具備したことを特徴とする。
【００１１】
本発明による医用スプレー装置は、空気管４８と外管４９との間に、前記外管４９の係止溝５０に係止リング４６が係止したとき薬液管１９と空気管４８を嘴管連結部１５側に付勢するコイルばね２９を介在したことを特徴とする。
【００１２】
本発明による医用スプレー装置は、着脱具３８における略直方体のハウジング４２の略中央に貫通孔４３を貫通して設け、外管４９の全外周に係止溝５０を形成し、前記ハウジング４２の切り溝５９から２個のＵ字形の係止リング４６を互いに相対する方向から嵌め込み、これらの係止リング４６をそれぞれ逆方向に付勢するばね部４５を有する押釦４４に連結し、この押釦４４で嘴管１８を着脱するようにしたことを特徴とする。
【００１３】
本発明による医用スプレー装置は、押釦４４にばね部４５を一体に形成し、この押釦４４に係止リング４６を係止部４７で連結したことを特徴とする。
【００１４】
本発明による医用スプレー装置は、着脱具３８における略円筒体のハウジング４２の略中央に貫通孔４３を貫通して設け、外管４９の全外周に係止溝５０を形成し、前記ハウジング４２の切り溝５９から１個の楕円形の係止リング４６を一方向から嵌め込み、この係止リング４６を押釦４４で嘴管１８を着脱するようにしたことを特徴とする。
【００１５】
本発明による医用スプレー装置は、嘴管１８は、薬液管１９の基端部に、この薬液管１９を貫通し、かつ、差し込み環３０を有し、前記薬液管１９を嘴管連結部１５の薬液チューブ１６に連通する差し込み環３０を連結し、空気管４８の基端部に、前記差し込み環３０と空気管４８の内部を連通する空気溝５５を有し、外管４９の内孔部５７内のコイルばね２９を係止する係合部５４を連結したことを特徴とする。
【発明の効果】
【００１６】
請求項１記載の発明によれば、スプレー本体の嘴管連結部に取り付けた嘴管から薬液びんの薬液を圧搾空気で噴霧するようにした医用スプレー装置において、前記嘴管は、薬液管と、この薬液管の外周を被覆する空気管と、この空気管の外周に嵌合し、外側面に係止溝を形成した外管とを具備し、前記嘴管連結部の端部に嘴管を連結するための着脱具を取り付け、この嘴管は、ハウジングと、このハウジングに設けられ前記外管を着脱自在に嵌め込むための貫通孔と、この貫通孔に前記外管を圧入すると前記係止溝に係止する係止リングと、この係止リングの係止状態を解除するための押釦とを具備したので、術者等がスプレー本体に設けた着脱具の貫通孔に嘴管を圧入するだけで嘴管に直接手などを触れることなくスプレー本体に嘴管を装着することができ、使用後には、押釦で係止リングの係止状態を解除するだけで嘴管に直接手などを触れることなく嘴管を外すことができる。したがって、特に、耳鼻咽喉科の分野でおける、鼻、咽喉の奥部に薬液を噴霧する治療における感染症発生を未然に防止できる。
【００１７】
請求項２記載の発明によれば、空気管と外管との間に、前記外管の係止溝に係止リングが係止したとき薬液管と空気管を嘴管連結部側に付勢するコイルばねを介在したので、着脱具の貫通孔に嘴管を圧入したとき、嘴管とスプレー本体の嘴管連結部がコイルばねで確実に密着し、また、押釦で係止リングの係止状態を解除するときに手を加えなくてもコイルばねで嘴管が飛び出してくれる。
【００１８】
請求項３記載の発明によれば、着脱具における略直方体のハウジングの略中央に貫通孔を貫通して設け、外管の全外周に係止溝を形成し、前記ハウジングの切り溝から２個のＵ字形の係止リングを互いに相対する方向から嵌め込み、これらの係止リングをそれぞれ逆方向に付勢するばね部を有する押釦に連結し、この押釦で嘴管を着脱するようにしたので、より確実に嘴管が保持される。
【００１９】
請求項４記載の発明によれば、押釦にばね部を一体に形成し、この押釦に係止リングを係止部で連結したので、着脱具の組み立てが簡単にできる。
【００２０】
請求項５記載の発明によれば、着脱具における略円筒体のハウジングの略中央に貫通孔を貫通して設け、外管の全外周に係止溝を形成し、前記ハウジングの切り溝から１個の楕円形の係止リングを一方向から嵌め込み、この係止リングを押釦で嘴管を着脱するようにしたので、着脱具の構成を簡単にできる。
【００２１】
請求項６記載の発明によれば、嘴管は、薬液管の基端部に、この薬液管を貫通し、かつ、差し込み環を有し、前記薬液管を嘴管連結部の薬液チューブに連通する差し込み環を連結し、空気管の基端部に、前記差し込み環と空気管の内部を連通する空気溝を有し、外管の内孔部内のコイルばねを係止する係合部を連結したので、着脱具の貫通孔に嘴管を圧入したとき、嘴管とスプレー本体の嘴管連結部が確実に密着し、かつ、空気と薬液の通過をより確実に行える。
【図面の簡単な説明】
【００２２】
【図１】本発明による医用スプレー装置の一実施例を示す腰部の断面図である。
【図２】図１における着脱具３８を示すもので、（ａ）は、Ａ−Ａ線断面図、（ｂ）は、Ｂ−Ｂ線断面図である。
【図３】本発明による着脱具３８で嘴管１８を差し込み装着する説明図である。
【図４】本発明による着脱具３８から嘴管１８を取り外す説明図である。
【図５】本発明による着脱具３８の他の例を示す断面図である。
【図６】従来の医用スプレー装置の断面図である。
【図７】一般的な医用スプレー装置の正面図である。
【図８】従来の嘴管１８の説明図である。
【発明を実施するための形態】
【００２３】
本発明は、スプレー本体１０の嘴管連結部１５に取り付けた嘴管１８から薬液びん１１の薬液を圧搾空気で噴霧するようにした医用スプレー装置において、前記嘴管１８は、薬液管１９と、この薬液管１９の外周を被覆する空気管４８と、この空気管４８の外周に嵌合し、外側面に係止溝５０を形成した外管４９とを具備し、前記嘴管連結部１５の端部に嘴管１８を連結するための着脱具３８を取り付け、この嘴管１８は、ハウジング４２と、このハウジング４２に設けられ前記外管４９を着脱自在に嵌め込むための貫通孔４３と、この貫通孔４３に前記外管４９を圧入すると前記係止溝５０に係止する係止リング４６と、この係止リング４６の係止状態を解除するための押釦４４とを具備したものである。
【００２４】
前記着脱具３８の貫通孔４３に嘴管１８を圧入したとき、嘴管１８とスプレー本体１０の嘴管連結部１５が確実に密着し、また、押釦４４で係止リング４６の係止状態を解除するときに手を加えなくても嘴管１８が飛び出すように、空気管４８と外管４９との間に、前記外管４９の係止溝５０に係止リング４６が係止したとき薬液管１９と空気管４８を嘴管連結部１５側に付勢するコイルばね２９を介在する。
【００２５】
着脱具３８は、略直方体のハウジング４２の略中央に貫通孔４３を貫通して設け、外管４９の全外周に係止溝５０を形成し、前記ハウジング４２の切り溝５９から２個のＵ字形の係止リング４６を互いに相対する方向から嵌め込み、これらの係止リング４６をそれぞれ逆方向に付勢するばね部４５を有する押釦４４に連結し、この押釦４４で嘴管１８を着脱するようにする。
【００２６】
押釦４４には、ばね部４５を一体に形成し、この押釦４４に係止リング４６を係止部４７で連結する。
【００２７】
着脱具３８は、前記実施例に限られるものではなく、略円筒体のハウジング４２の略中央に貫通孔４３を貫通して設け、外管４９の全外周に係止溝５０を形成し、前記ハウジング４２の切り溝５９から１個の楕円形の係止リング４６を一方向から嵌め込み、この係止リング４６を押釦４４で嘴管１８を着脱するようにすることができる。
【００２８】
嘴管１８は、より具体的には、薬液管１９の基端部に、この薬液管１９を貫通し、かつ、差し込み環３０を有し、前記薬液管１９を嘴管連結部１５の薬液チューブ１６に連通する差し込み環３０を連結し、空気管４８の基端部に、前記差し込み環３０と空気管４８の内部を連通する空気溝５５を有し、外管４９の内孔部５７内のコイルばね２９を係止する係合部５４を連結して構成する。
【実施例１】
【００２９】
以下、本発明の実施例１を図面に基づき説明する。
図３において、スプレー本体１０の先端には、直接手を触れることなく嘴管１８を交換するための着脱具３８が固定的に取り付けられている。
前記嘴管１８と着脱具３８以外のスプレー本体１０、薬液びん１１、バルブ１２、押釦１３、エアチューブ１４は、図７に示した従来例の構造のものをそのまま利用することができる。
【００３０】
図１において、前記スプレー本体１０の先端部の嘴管連結部１５には、この嘴管連結部１５の開口した内側に、薬液管差し込み孔３２、空気孔３４を形成した支持円板３７が固定的に取り付けられ、前記薬液管差し込み孔３２には、薬液びん１１の薬液チューブ１６の端部が連結される。
【００３１】
前記嘴管連結部１５の先端外周部には、前記着脱具３８が固定的に連結される。この着脱具３８は、図１及び図２（ａ）（ｂ）に示すように、略直方体のハウジング４２の中心に貫通孔４３が貫通され、この貫通孔４３の一方端に前記ハウジング４２が固定的に嵌合固着される。
前記ハウジング４２には、上下両面に凹部５８が形成され、これら凹部５８の略中央を連通して切り溝５９が形成されている。
【００３２】
この切り溝５９には、上下からＵ字形の係止リング４６が互いに逆向きに差し込まれ、これらの係止リング４６の端部は、それぞれ前記凹部５８内に嵌合した押釦４４の係止部４７にて連結されている。また、前記押釦４４の内側には、ばね部４５が一体に設けられ、このばね部４５は、前記凹部５８の底面に接して押釦４４を外側に付勢することによって係止リング４６の他端部を互いに逆向きに付勢している。
【００３３】
前記嘴管１８は、中心に細い薬液管１９を有し、この薬液管１９外周に空気管４８を被せ、さらにこの空気管４８の外側に外管４９が進退自在に嵌合される。詳しくは、外套の空気管４８の基端部に  係合部５４が固着され、この係合部５４の段部と外管４９の内孔部５７の間にＯリング５１、ワッシャ５３及びコイルばね２９を介在し、外管４９に対し、空気管４８が図１の右方向に付勢されている。
前記外管４９は、ハウジング４２の貫通孔４３に着脱自在に嵌合するように構成されている。前記外管４９の外側全周囲に係止溝５０が形成され、この係止溝５０に、前記２個の係止リング４６の一端部が図２（ａ）に示すように互いに逆向きに係止している。
【００３４】
次に本発明の作用を説明する。
予め図３に示すように、消毒された未使用の複数本の嘴管１８を薬液管１９の差し込み孔４０に差し込んでおく。
また、スプレー本体１０の嘴管連結部１５には、着脱具３８のハウジング４２が固定的に取り付けられている。
【００３５】
この状態で、薬液びん１１をグリップとして握り、着脱具３８を下向きにしてハウジング４２の貫通孔４３に嘴管１８の外管４９を嵌合圧入する。すると、貫通孔４３の内側に突出している２個の係止リング４６が外管４９の先端部のテーパー部分を滑りながら、ばね部４５に抗して互いに反対方向に押し広げられて外管４９の外周囲を摺動し、係止溝５０の位置にくると、２個の係止リング４６がばね部４５の力で戻されて係止される。このとき、コイルばね２９の力により支持円板３７と差し込み環３０がＯリング５１を介在して密着し、嘴管連結部１５と外管４９がＯリング２２を介在して密着し、さらに薬液管１９の基端部が支持円板３７の薬液管差し込み孔３２に挿入されて薬液チューブ１６と連通する。このとき、薬液管１９の先端部の空気取り込み溝３６が噴霧口２０に嵌合される。
なお、このように密着した状態では、空気管４８に固着したストッパ５６は、外管４９との間に隙間が生じた状態となる。
【００３６】
このようにして、嘴管１８に直接手を触れることなくスプレー本体１０に着脱具３８を嵌合することができ、その後で、患者毎に薬液や消毒液が噴霧される。
噴霧処理後は、薬液びん１１を握ったまま図４に示すように、嘴管１８を収容ボックス４１の上まで持ち込み、着脱具３８の２個の押釦４４をばね部４５に抗して押し込むと、２個の係止リング４６が押し込まれて係止溝５０から外れる。すると、コイルばね２９の力により外管４９が突出してその勢いで薬液管１９が薬液管差し込み孔３２から抜け出し、嘴管１８が収容ボックス４１に収納される。また、コイルばね２９の力で外管４９は、ストッパ５６に密着して停止する。
以下同様にしてスプレー本体１０の着脱具３８に嘴管立て３９の新たな嘴管１８に交換して新たな噴霧処理を行う。
【実施例２】
【００３７】
前記実施例では、ハウジング４２内に２個の係止リング４６をそれぞれの押釦４４で逆向きに押圧するようにしたが、これに限られるものではなく、１個の押釦４４で着脱することもできる。
この例を図５により説明すると、係止リング４６を楕円形の１個のリングとしてハウジング４２内の略円形の凹部５８内に収納させる。そして、嘴管１８をハウジング４２の貫通孔４３に圧入すると、外管４９の先端のテーパー部分を滑りながら係止リング４６を押し広げて、係止溝５０の位置で係止リング４６の持つ弾性で元に戻り、係止リング４６が係止溝５０に係止する。嘴管１８を外すときは、押釦４４を押し込んで、楕円形の１個の係止リング４６を略円形に拡開すると、係止溝５０との係止が解かれ、嘴管１８がコイルばね２９の力で飛び出させる。
【００３８】
実施例１及び２において、嘴管１８は、熱湯や薬剤による消毒のためには、ステンレススチールなどの金属であることが望ましいが、耐熱性、耐薬品性などを有するものであれば、プラスチックなどの他の材料とすることもできる。
【符号の説明】
【００３９】
１０…スプレー本体、１１…薬液びん、１２…バルブ、１３…押釦、１４…エアチューブ、１５…嘴管連結部、１６…薬液チューブ、１７…薬液、１８…嘴管、１９…薬液管、２０…噴霧口、２１…ねじ部、２２…Ｏリング、２４…ノズル霧先管、２６…嘴管基部、２７…霧先係合部、２８…係止突部、２９…コイルばね、３０…差し込み環、３１…空気孔、３２…薬液管差し込み孔、３３…薬液チューブ連結部、３４…空気孔、３５…嵌合端部、３６…空気取り込み溝、３７…支持円板、３８…着脱具、３９…嘴管立て、４０…差し込み孔、４１…収容ボックス、４２…ハウジング、４３…貫通孔、４４…押釦、４５…ばね部、４６…係止リング、４７…係止部、４８…空気管、４９…外管、５０…係止溝、５１…Ｏリング、５２…Ｏリング、５３…ワッシャ、５４…  係合部、５５…空気溝、５６…ストッパ、５７…内孔部、５８…凹部、５９…切り溝。
【図１】
2011104187.tif 000003
【図２】
2011104187.tif 000004
【図３】
2011104187.tif 000005
【図４】
2011104187.tif 000006
【図５】
2011104187.tif 000007
【図６】
2011104187.tif 000008
【図７】
2011104187.tif 000009
【図８】
2011104187.tif 000010